(57)【要約】【課題】外出業務の実施内容の入力を容易にすると共に、管理にかかるコストの増加を抑制することが可能な情報入力支援ファイル、及び情報入力支援ファイルの使用方法を提供する。【解決手段】外出業務の実施内容をコンピュータに入力するための情報入力支援ファイル１に、ファイル状の本体１０と、予め入力順が決められている複数の入力情報５のうち外出業務の実施毎に変動する外出先を示す入力情報が記載されている札体２０と、を具備させ、本体１０を見開きにした時の第一右頁Ｒ１に、札体２０を着脱可能に形成されている変動情報領域を設ける。【選択図】図１
2020189464.tif 000002
【特許請求の範囲】
【請求項１】
外出業務の実施内容をコンピュータに入力するための情報入力支援ファイルであって、
閉じられている状態で右から左へ捲って見開きにした時の最初の左右を夫々第一左頁及び第一右頁としているファイル状の本体と、
予め入力順が決められている複数の入力情報のうち前記外出業務の実施毎に変動する外出先を示す前記入力情報が記載されている札体と
を具備しており、
前記本体は、
前記外出業務の名称が記載されている業務名称領域と、
前記札体を着脱可能に形成されている変動情報領域と、
前記外出先を示す前記入力情報よりも前に入力する該入力情報が記載されている前固定情報領域と、
前記外出先を示す前記入力情報よりも後に入力する該入力情報が記載されている後固定情報領域と、
を有しており、
前記業務名称領域、前記前固定情報領域、及び前記後固定情報領域は、
前記第一右頁において上下に並べて設けられており、
前記変動情報領域は、
前記前固定情報領域と前記後固定情報領域との間、又は、前記第一左頁、に設けられており、
前記入力情報は、
前記実施内容を示す文字とバーコードとで構成されている
ことを特徴とする情報入力支援ファイル。
【請求項２】
前記札体は、
磁力により前記本体に対して着脱可能とされている
ことを特徴とする請求項１に記載の情報入力支援ファイル。
【請求項３】
請求項１又は請求項２に記載の情報入力支援ファイルを使用する使用方法であり、
前記本体の前記業務名称領域に記載されている前記外出業務を実施する前に、
当該実施にかかる前記外出先を示す前記入力情報が記載されている前記札体を前記本体の前記変動情報領域に装着し、
前記外出業務の実施の進行に伴って、前記前固定情報領域、前記変動情報領域の前記札体、及び前記後固定情報領域、の夫々に記載されている前記入力情報の前記バーコードを、前記入力順にバーコードリーダで読み取ることを特徴とする情報入力支援ファイルの使用方法。
【発明の詳細な説明】
【技術分野】
【０００１】
本発明は、バーコードを用いて外出業務の実施内容をコンピュータに入力するための情報入力支援ファイル、及び情報入力支援ファイルの使用方法に関するものである。
【背景技術】
【０００２】
介護、介助、代行、輸送、等の事業所において、車両を運転する職員の労務管理、利用者の送迎管理、等をするために、職員が実施した外出業務の内容を記録させるようにしている。例えば、事業所としての介護施設では、図９に示すような車両運行表の用紙が予め用意されており、職員に対して当該用紙に必要事項を記入させることで外出業務としての送迎業務の実施内容を記録するようにしている。
【０００３】
詳述すると、職員が送迎業務を実施する際に、まず、予めクリップボードに装着されている車両運行表に、当該車両運行表の運行日、運転者（職員名）、車名、職員同乗者、の夫々の欄に、必要事項を記入する。更に、介護施設の事務所内に設けられているホワイトボードからなる運行管理表を確認し、その運行管理表に記載されている今回送迎する利用者の氏名を、車両運行表の運行内容の欄に記載（転載）する。その後、車両運行表が装着されているクリップボードを携行して送迎業務を実施し、車両運行表の該当する欄に、介護施設や利用者宅での出発時間や到着時間を記入する。そして、送迎業務が完了したら、車両運行表をクリップボードから外して管理者に提出する。
【０００４】
ところで、管理者では、職員から提出された車両運行表が、手書きで記入されているため、その実施内容をキーボードやマウス等を操作してコンピュータ（データベース）に入力しており、入力作業に手間がかかると共に、入力ミスが生じる問題があった。
【０００５】
これに対して、通信ネットワークを介してコンピュータ（管理サーバ）に接続可能な携帯端末を職員に保持させ、職員が携帯端末を操作して、外出業務の実施内容と運行データとを管理サーバに送信するようにしたものが提案されている（特許文献１）。
【０００６】
しかしながら、特許文献１の技術では、職員が汎用性の高い携帯端末の操作を覚える必要があり、職員の負担が増加する問題があると共に、職員に保持させる携帯端末の購入により運行の管理にかかるコストが増加する問題があった。
【先行技術文献】
【特許文献】
【０００７】
【特許文献１】特開２００９−１３４３３９号公報
【発明の概要】
【発明が解決しようとする課題】
【０００８】
そこで、本発明は、外出業務の実施内容の入力を容易にすると共に、管理にかかるコストの増加を抑制することが可能な情報入力支援ファイル、及び情報入力支援ファイルの使用方法の提供を課題とするものである。
【課題を解決するための手段】
【０００９】
上記の課題を解決するために、本発明に係る情報入力支援ファイルは、「外出業務の実施内容をコンピュータに入力するための情報入力支援ファイルであって、閉じられている状態で右から左へ捲って見開きにした時の最初の左右を夫々第一左頁及び第一右頁としているファイル状の本体と、予め入力順が決められている複数の入力情報のうち前記外出業務の実施毎に変動する外出先を示す前記入力情報が記載されている札体とを具備しており、前記本体は、前記外出業務の名称が記載されている業務名称領域と、前記札体を着脱可能に形成されている変動情報領域と、前記外出先を示す前記入力情報よりも前に入力する該入力情報が記載されている前固定情報領域と、前記外出先を示す前記入力情報よりも後に入力する該入力情報が記載されている後固定情報領域と、を有しており、前記業務名称領域、前記前固定情報領域、及び前記後固定情報領域は、前記第一右頁において上下に並べて設けられており、前記変動情報領域は、前記前固定情報領域と前記後固定情報領域との間、又は、前記第一左頁、に設けられており、前記入力情報は、前記実施内容を示す文字とバーコードとで構成されている」ものであることを特徴とする。
【００１０】
ここで、ファイル状の「本体」としては、「第一右頁を構成している平板状の本体ベースと、本体ベースの左辺に接続されて第一左頁を構成しており本体ベースよりも軟質の本体カバーと、で構成したもの」、「ルーズリーフ状の複数のシート体と、複数のシート体を綴じているリングバインダと、で構成したもの」、「一つのシートを二つ折りにして構成したもの」、を例示することができる。
【００１１】
また、本体に対して札体を「着脱可能」とする構成としては、「磁石によるもの」、「面ファスナーによるもの」、「剥離可能な粘着剤によるもの」、を例示することができる。
【００１２】
本構成の情報入力支援ファイルは、介護、介助、代行、輸送、等の事業所で働く職員が使用するものであり、職員が事業所外において外出業務を実施した際に、当該外出業務にかかる実施内容を示す入力情報のバーコードを、バーコードリーダを使用して読み取ることで、当該外出業務の実施内容をコンピュータに入力するためのものである。
【００１３】
具体的には、職員が外出業務を実施する際に、当該実施する外出業務の名称が業務名称領域に記載されている情報入力支援ファイルの本体を用意する。次に、当該外出業務において実施毎に変動する外出先を示す入力情報が記載されている複数の札体のうち、当該実施にかかる外出先（入力情報）が記載されている札体を、本体の変動情報領域に装着する。その後、情報入力支援ファイルを携帯（又は車載）した状態で、当該外出業務の実施を開始する。そして、当該外出業務の実施の進行に伴って、上固定情報領域、変動情報領域の札体、及び下固定情報領域、の夫々に記載されている入力情報のバーコードを、予め決められている入力順にバーコードリーダで読み取る。
【００１４】
なお、当該外出業務の種類、本体に装着された札体の数、当該外出業務の実施の進行状況、等の必要に応じて、上固定情報領域、札体、及び下固定情報領域、の夫々に記載されている入力情報のバーコードの読み取りを繰り返しても良い。これにより、バーコードリーダを介して管理コンピュータに、職員が実施した外出業務にかかる実施内容を入力することができる。
【００１５】
本構成の情報入力支援ファイルによれば、実施毎に変動する外出先を示す入力情報が記載されている札体を、本体の変動情報表示領域において着脱可能に形成しているため、当該実施に必要な入力情報が記載されている札体を、本体の変動情報領域に装着することで、一つの本体で異なる実施に対応することができる。
【００１６】
また、事業所の事務所において、職員による外出業務の実施に必要な外出先を示す入力情報が記載されている札体を、管理者等が予め用意しておき、職員が当該外出業務を実施する際に、予め用意された札体を本体の変動情報領域に装着させるようにすることで、本体と札体とにより当該外出業務にかかる実施内容を職員に伝達させることができる。
【００１７】
更に、外出業務の実施内容を示す入力情報を、文字とバーコードとで構成しているため、バーコードをバーコードリーダで読み取らせることで、バーコードリーダを介して実施内容を管理コンピュータに入力することができ、実施内容の入力を容易なものとすることができる。また、バーコードリーダを操作するだけで、実施内容を入力することができるため、特許文献１の技術とは異なり、職員が汎用性の高い多彩な機能を有する携帯端末の複雑な操作を覚える必要はなく、職員の負担を軽減させることができると共に、携帯端末を購入する必要はなく、管理にかかるコストの増加を抑制させることができる。
【００１８】
また、本体を見開きにした時の左右の第一左頁又は第一右頁に設けられている変動情報領域に、札体を装着するようにしているため、本体を閉じた状態とすることで、札体を第一左頁と第一右頁とで挟んで動き難くすることができる。これにより、本情報入力支援ファイルを持ち運んだり車両に搭載したりすることで振動や衝撃が作用しても、本体からの札体の脱落を防止することができ、情報入力支援ファイルの取り扱いを容易なものとすることができる。
【００１９】
また、本発明に係る情報入力支援ファイルは、上記の構成に加えて、「前記札体は、磁力により前記本体に対して着脱可能とされている」ものであることを特徴とする。
【００２０】
本構成によれば、本体又は札体に設けられている磁石の磁力により、札体を本体の変動情報領域に対して着脱可能に装着することができる。また、札体を磁石の磁力（磁着）により着脱可能としているため、面ファスナーや粘着剤により着脱可能とする場合と比較して、汚れの付着や経年変化による装着力の低下を低減させることができる。
【００２１】
本発明に係る情報入力支援ファイルの使用方法は、「上記の情報入力支援ファイルを使用する使用方法であって、前記本体の前記業務名称領域に記載されている前記外出業務を実施する前に、当該実施にかかる前記外出先を示す前記入力情報が記載されている前記札体を前記本体の前記変動情報領域に装着し、前記外出業務の実施の進行に伴って、前記前固定情報領域、前記変動情報領域の前記札体、及び前記後固定情報領域、の夫々に記載されている前記入力情報の前記バーコードを、前記入力順にバーコードリーダで読み取る」ことを特徴とする。
【００２２】
本構成によれば、外出業務の実施において、実施毎に外出先が変動しても、実施した実施内容を、バーコードリーダを介して予め決められた入力順にコンピュータに入力することができる。
【発明の効果】
【００２３】
以上のように、本発明の効果として、外出業務の実施内容の入力を容易にすると共に、管理にかかるコストの増加を抑制することが可能な情報入力支援ファイル、及び情報入力支援ファイルの使用方法を提供することができる。
【図面の簡単な説明】
【００２４】
【図１】本発明の一実施形態である情報入力支援ファイルを見開きにして示す説明図である。
【図２】図１において札体を外した状態で第一右頁を拡大して示す説明図である。
【図３】（ａ）は札体の正面図であり、（ｂ）は札体の底面図である。
【図４】図１とは異なる実施形態の情報入力支援ファイルの第一左頁及び第一右頁を見開きにして示す説明図である。
【図５】図４の情報入力支援ファイルの第二左頁及び第二右頁を見開きにして示す説明図である。
【図６】図４の情報入力支援ファイルにおける最終の見開き頁の一つ前の見開き頁を示す説明図である。
【図７】更に異なる実施形態の情報入力支援ファイルの第一左頁及び第一右頁を見開きにして示す説明図である。
【図８】図７の情報入力支援ファイルにおける最終の見開き頁の一つ前の見開き頁を示す説明図である。
【図９】従来の手書きによる車両運行表を示す説明図である。
【発明を実施するための形態】
【００２５】
本発明の一実施形態である情報入力支援ファイル１について、図１乃至図３を参照して詳細に説明する。情報入力支援ファイル１は、バーコードを用いて外出業務の実施内容をコンピュータ（管理コンピュータ）に入力するためのものである。ここでは、事業所としての介護施設において使用される情報入力支援ファイル１について説明する。
【００２６】
情報入力支援ファイル１は、左右開きのファイル状の本体１０と、本体１０に対して着脱可能に設けられている複数の札体２０と、を備えている。本体１０及び札体２０には、外出業務の実施内容を示す入力情報５が記載されている。入力情報５は、実施内容を示す文字からなる標記部５ａとバーコード５ｂとで構成されており、標記部５ａの下にバーコード５ｂが配置されている。
【００２７】
本体１０は、閉じられている状態で右から左へ捲って見開きにした時に、左を第一左頁Ｌ１、右を第一右頁Ｒ１、としている。本体１０の第一右頁Ｒ１には、当該頁の上部に設けられている業務名称領域１０ａと、業務名称領域１０ａの下方に設けられている前固定情報領域１０ｂと、前固定情報領域１０ｂの下方に設けられている変動情報領域１０ｃと、変動情報領域１０ｃの下方に設けられている後固定情報領域１０ｄと、を有している。
【００２８】
業務名称領域１０ａには、多様な外出業務のうち、この情報入力支援ファイル１が対応している外出業務の名称として「送迎」が記載されている。以下では、送迎の外出業務を、単に送迎業務と称する。
【００２９】
本実施形態では、送迎業務の実施内容を示す複数の入力情報５の入力順を、「送迎  迎え・送り」、「職員コード」、「車両コード」、「事業所  出発時」、「目的地  到着時」、「利用者名」、「送迎業務  終了後」、「目的地  出発時」、「事業所  到着時」、「車両コード」、「職員コード」、としている。この送迎業務では、上記のように、予め入力順が決められている複数の入力情報５のうち、送迎業務の実施毎に変動する外出先を示す入力情報５が、「利用者名」である。つまり、本実施形態では「利用者名」が本発明の「外出先」に相当する。
【００３０】
前固定情報領域１０ｂには、送迎業務において、予め入力順が決められている複数の入力情報５のうち、「利用者名」を示す入力情報５よりも前に入力する複数の入力情報５が、上から下へ入力順に記載されている。
【００３１】
詳述すると、前固定情報領域１０ｂ内の左部に、実施内容を示す「送迎  迎え・送り」、「職員コード」、「車両コード」、「事業所  出発時」、「目的地  到着時」、の夫々の文字が上から下へ順に記載されていると共に、それら実施内容の文字の先頭に入力順を示す丸囲みの通し番号（丸１〜丸５）が記載されている。通し番号丸１、丸４、及び丸５が記載されている実施内容の文字の左方には、丸囲みの通し番号と共に、当該実施内容を示す入力情報５が記載されている。
【００３２】
通し番号が丸１の「送迎  迎え・送り」の実施内容は、「送迎  迎え」と「送迎  送り」の二つの入力情報５に分けられており、夫々の入力情報５の標記部５ａの先頭に通し番号の丸１が記載されている。なお、通し番号が丸２と丸３の実施内容（「職員コード」と「車両コード」）については、詳細は後述するが、ここには当該実施内容を示す入力情報５を記載していない。また、前固定情報領域１０ｂの右下隅には、「丸５〜丸８を繰り返す」の文字が記載されている。
【００３３】
変動情報領域１０ｃは、複数（ここでは６個）の札体２０を装着可能な広さに形成されており、左上隅に、送迎業務の実施毎に変動する外出先としての実施内容を示す文字（ここでは、「利用者名」の文字）が、通し番号の丸６の文字と共に記載されている。
【００３４】
後固定情報領域１０ｄには、送迎業務において、予め入力順が決められている複数の入力情報５のうち、「利用者名」を示す入力情報５よりも後に入力する複数の入力情報５が、上から下へ入力順に記載されている。
【００３５】
詳述すると、後固定情報領域１０ｄ内の左部には、実施内容を示す「送迎業務  終了後」、「目的地  出発時」、「事業所  到着時」、「職員コード」、「車両コード」、「データ送信」、の夫々の文字が上から下へ順に記載されていると共に、それら実施内容の文字の先頭に丸囲みの通し番号（丸７〜丸１２）が記載されている。通し番号丸７〜丸９が記載されている実施内容の文字の左方には、丸囲みの通し番号と共に、当該実施内容を示す入力情報５が記載されている。
【００３６】
通し番号が丸７の「送迎業務  終了後」の実施内容は、「送迎介助」、「準備介助」、「不在・応答なし」、「乗車拒否」、の四つの入力情報５に分けられており、夫々の入力情報５の標記部５ａの先頭に通し番号の丸７が記載されている。なお、通し番号が丸１０と丸１２の実施内容（「車両コード」と「職員コード」）については、詳細は後述するが、ここには当該実施内容を示す入力情報５を記載していない。
【００３７】
なお、通し番号が丸１２の実施内容は、「データ送信」の文字のみであり、入力情報５に含まれるものではなく、バーコードリーダ（図示は省略）により読み取った入力情報５（バーコード５ｂ）を、管理コンピュータへ転送（入力）することを指示するためのものである。
【００３８】
ところで、上述したように、本体１０では、実施内容における「職員コード」と「車両コード」は、当該実施内容を示す入力情報５を記載していない。「職員コード」を示す入力情報５は、図示は省略するが、送迎業務を実施する職員が所持しているＩＤカードに記載されている。また、「車両コード」を示す入力情報５は、送迎業務に使用する車両のサンバイザー、ダッシュボード、キーホルダー、コンソール、のような所定位置（ここでは、サンバイザー）に記載されている。
【００３９】
また、本体１０では、第一右頁の右上隅に、この情報入力支援ファイル１のバージョン情報７が記載されている。
【００４０】
札体２０は、外出業務において、予め入力順が決められている複数の入力情報５のうち、外出業務の実施毎に変動する外出先としての「利用者名」を示す入力情報５が、表面に記載されている。複数の札体２０では、夫々に異なる「利用者名」（入力情報５）が記載されている。
【００４１】
本実施形態の情報入力支援ファイル１について、更に詳述すると、本体１０は、縦長長方形の平板状の本体ベース１１と、本体ベース１１の左辺に接続されており本体ベース１１よりも軟質の本体カバー１２と、を備えている。本体１０では、本体ベース１１が第一右頁Ｒ１を構成しており、本体カバー１２が第一左頁Ｌ１を構成している。この本体１０は、本体ベース１１と本体カバー１２との境で折り曲げることにより、本体ベース１１と本体カバー１２とが互いに重なった状態で閉じることができる。本体１０は、本体カバー１２を本体ベース１１の上にして閉じた状態で、本体カバー１２を右から左へ捲って使用するものである。
【００４２】
また、本体１０は、本体ベース１１における第一右頁Ｒ１の面に貼り付けられているシート状の表面体１３と、表面体１３と本体ベース１１との間に設けられており磁着可能なシート状の被磁着体１４と、を備えている。
【００４３】
表面体１３は、表面に業務名称領域１０ａ、前固定情報領域１０ｂ、変動情報領域１０ｃ、及び後固定情報領域１０ｄが設けられており、上述した文字や入力情報５等が耐水性インクにより記載（印刷）されている。被磁着体１４は、少なくとも変動情報領域１０ｃに対応する部位に設けられている。詳しくは、被磁着体１４は、変動情報領域１０ｃから後固定情報領域１０ｄの上部の部位にかけて設けられている。
【００４４】
札体２０は、平板状で長手方向の両端が半円弧に形成されている角丸長方形の札体ベース２１と、札体ベース２１の裏面に接着されている複数（ここでは３個）の磁石２２と、を備えている。札体ベース２１は、長手方向が左右に向けられており、表面に入力情報５が、耐水性インクにより記載されている。本実施形態では、入力情報５を印刷したシールが、札体ベース２１の表面に貼り付けられている。
【００４５】
３個の磁石２２は、それらを結んだ直線により二等辺三角形が形成されるように配置されている。当該二等辺三角形は、底辺が札体ベース２１の長手方向と平行に設けられている。これにより、札体２０を本体１０に磁着させた状態で、情報入力支援ファイル１を携帯したり車載したりすることで振動や衝撃が作用しても、札体２０が移動したり回転したりし難いものとすることができる。
【００４６】
また、磁石２２は、高さＨを、２．５ｍｍ〜３．５ｍｍの範囲内としている。その理由は、高さＨが２．５ｍｍよりも低いと、札体２０を磁着可能なホワイトボード等に磁着させた時に、札体ベース２１の下に指が入り難くなることで札体２０を取外し難くなるためである。また、高さＨが３．５ｍｍよりも高いと、札体２０を本体１０に磁着した時に、情報入力支援ファイル１が無用に厚くなり過ぎるためである。
【００４７】
本実施形態の情報入力支援ファイル１では、本体１０の本体ベース１１は、Ａ４よりもやや大きく、厚さが２ｍｍ〜３ｍｍの合成樹脂板により形成されており、本体１０全体を曲がり難いものとしている。本体カバー１２は、厚さが０．５ｍｍ〜１ｍｍで、透明又は半透明の合成樹脂板により形成されており、捲り易いものとしている。表面体１３は、厚さが５５μｍ〜３００μｍのポリプロピレン（ＰＰ）やポリエチレンテレフタレート（ＰＥＴ）のような合成樹脂製シートからなる合成紙により形成されており、第一右頁Ｒ１の表面の強度を維持しつつ本体１０全体の厚さの増加を抑制している。被磁着体１４は、厚さが０．１ｍｍ〜０．３ｍｍで、１２メッシュ〜２０メッシュの亜鉛メッキの金網により形成されており、本体１０全体の重量と厚さの増加を抑制している。
【００４８】
また、札体２０の札体ベース２１は、厚さが３ｍｍ、長辺の長さが６０ｍｍ、短辺の長さが４０ｍｍ、の合成樹脂板により形成されている。磁石２２は、高さＨが３ｍｍで直径が６ｍｍの円柱状のネオジム磁石である。
【００４９】
次に、本実施形態の情報入力支援ファイル１の使用方法について説明する。ここでは、外出業務としての送迎業務のうち利用者を介護施設に迎え入れる場合について説明する。送迎業務に使用される自動車のような車両には、実施内容としての当該車両を示す入力情報５が記載されている。情報入力支援ファイル１は、使用しない時には介護施設の事務所に保管されている。
【００５０】
また、介護施設で働く各職員は、入力情報５が記載されているＩＤカードと、バーコード５ｂを読み取るための携帯用のバーコードリーダ（図示は省略）と、を所持している。バーコードリーダは、バーコード５ｂの読み取りを開始させるスイッチと、スイッチの操作によりバーコード５ｂを読み取るための光を発する発光部と、発光部からバーコード５ｂへ照射されて反射した光を受ける受光部と、受光部により読み取られたバーコード５ｂをデコードするデコード部と、日時を計測している時計部と、デコードされたバーコード５ｂを時計部の日時と関連付けて記録データとして記憶する記憶部と、記憶部に記憶された記録データを出力するためにＵＳＢケーブルが接続されるＵＳＢ接続部と、を備えている。
【００５１】
まず、介護施設の職員が外出業務としての利用者の送迎業務を実施する場合、外出業務等の管理者が、予め事務所内に設けられている磁着可能なホワイトボードからなる運行管理表に、当該職員の氏名を記入すると共に、送迎対象の利用者名を示す入力情報５が記載されている札体２０を磁着させておく。そして、送迎業務を実施する職員は、業務名称領域１０ａに「送迎」と記載されている情報入力支援ファイル１の本体１０を所持する。この際に、本体１０の本体カバー１２が透明又は半透明であるため、本体１０が閉じられていても、本体カバー１２を通して業務名称領域１０ａに記載されている文字を読むことができ、使用する情報入力支援ファイル１を容易に見つけることができる。
【００５２】
次に、運行管理表に磁着されている札体２０を取外し、本体カバー１２を捲って、取外した札体２０を本体ベース１１における変動情報領域１０ｃに装着（磁着）し、本体カバー１２を閉じる。その後、情報入力支援ファイル１を携帯して、送迎業務に使用する車両（ここでは自動車）の運転席に乗車する。そして、介護施設を出発する前に、情報入力支援ファイル１を開き、前固定情報領域１０ｂに記載されている入力情報５のうち通し番号が丸１の「送迎  迎え・送り」における「送迎  迎え」のバーコード５ｂを、携帯しているバーコードリーダで読み取る。次に、通し番号が丸２の「職員コード」の入力作業として、当該職員が所持しているＩＤカードのバーコード５ｂを読み取り、続いて、通し番号が丸３の「車両コード」の入力作業として、乗車している車両のサンバイザーに記載されているバーコード５ｂを読み取る。更に、通し番号が丸４の「事業所  出発」のバーコード５ｂを読み取り、変動情報領域１０ｃに磁着した札体２０に記載されている入力情報５（利用者）の自宅へ向けて事業所を出発する。
【００５３】
その後、利用者の自宅に到着したら、前固定情報領域１０ｂに記載されている通し番号５の「目的地  到着」のバーコード５ｂを読み取った上で、変動情報領域１０ｃに記載されている通し番号が丸６の「利用者名」の入力作業として、変動情報領域１０ｃに磁着されている札体２０の当該利用者のバーコード５ｂを読み取る。続いて、職員は、車両の運転席から降車して当該利用者の自宅を訪問し、当該利用者を車両に乗車させた後に、運転席に乗車する。
【００５４】
そして、当該目的地を出発する前に、後固定情報領域１０ｄに記載されている通し番号が丸７の「送迎業務  終了後」の入力作業として、利用者に対して実施した実施内容のバーコード５ｂを読み取る。具体的には、利用者の送迎を介助した場合は「送迎介助」のバーコード５ｂを読み取り、利用者の送迎の準備を介助した場合は「準備介助」のバーコード５ｂを読み取る。送迎の介助と準備の介助の両方を実施した場合は、両方のバーコード５ｂを読み取る。一方、利用者の自宅を訪問した時に、利用者が自宅に不在の時や応答がなかった場合は「不在・応答なし」のバーコード５ｂを読み取り、利用者が乗車を拒否した場合は「乗車拒否」のバーコード５ｂを読み取る。
【００５５】
次に、「送迎業務  終了後」のバーコード５ｂを読み取ったら、通し番号が丸８の「目的地  出発」のバーコード５ｂを読み取り、次の目的地（次の利用者の自宅、又は、介護施設）へ出発する。一度の送迎業務において複数の利用者を送迎する場合（変動情報領域１０ｃに複数の札体２０が磁着されている場合）は、次の利用者の自宅を目的地として出発し、乗車拒否を除いて全ての利用者を車両に乗車させたら、最後に目的地として介護施設へ向けて出発する。この際に、上記の通し番号が丸５〜丸８の入力情報５の入力作業を繰り返す。なお、利用者の自宅を訪問した時に、利用者が不在又は応答がなかった場合には、次の利用者の自宅へ向かい、或る程度時間をおいてから、再度、当該利用者の自宅を訪問する。
【００５６】
このようにして利用者を乗せた車両が介護施設に到着したら、通し番号が丸９の「事業所  到着」のバーコード５ｂを読み取った上で、通し番号が丸１０の「車両コード」の入力作業として、当該車両のサンバイザーに記載されているバーコード５ｂを読み取ると共に、通し番号が丸１１の「職員コード」の入力作業として、所持しているＩＤカードのバーコード５ｂを読み取り、乗車している利用者を降車させる。これにより、バーコードリーダの記憶部には、当該職員により送迎業務において実施した実施内容が、時系列順に記録データとして記憶される。
【００５７】
そして、事務所に戻ったら、通し番号が丸１２の「データ送信」の作業として、バーコードリーダと事務所のコンピュータ（端末コンピュータ）とをＵＳＢケーブルで接続し、記憶部に記憶されている記録データを、端末コンピュータ及びインターネット等の通信ネットワークを介して、通信ネットワークに接続されている管理サーバ（管理コンピュータ）に転送し、当該管理サーバのデータベースに記憶させる。これにより、職員が実施した送迎業務にかかる実施内容を、デジタルデータとしてバーコードリーダを介して管理コンピュータに入力することができる。
【００５８】
ところで、管理サーバでは、送迎業務のような外出業務にかかる記録データがデータベースに記憶されると、当該記録データを使用して所定の書式の運行記録表を作成した上で、当該運行記録表を管理者宛のメールに添付して、管理者に送信する。これにより、介護施設や運行等の管理者は、職員による外出業務の実施内容を速やかに把握することができると共に、介護施設に迎え入れた利用者を把握することができる。
【００５９】
本実施形態の情報入力支援ファイル１によれば、実施毎に変動する外出先を示す入力情報５が記載されている札体２０を、本体１０の変動情報領域１０ｃにおいて着脱可能に形成しているため、当該実施に応じた入力情報５が記載されている札体２０を、本体１０の変動情報領域１０ｃに装着することで、一つの本体１０で異なる実施に対応することができる。
【００６０】
また、本実施形態によれば、介護施設の事務所における磁着可能なホワイトボードからなる運行管理表に、管理者によって予め磁着されている札体２０を、本体１０の変動情報領域１０ｃに磁着させるようにしているため、本体１０と札体２０とにより当該外出業務にかかる実施内容を職員に伝達させることができる。
【００６１】
更に、本実施形態によれば、外出業務の実施内容の入力情報５を、文字からなる標記部５ａとバーコード５ｂとで構成しているため、バーコード５ｂをバーコードリーダで読み取らせることで、バーコードリーダを介して実施内容を管理コンピュータに入力することができ、実施内容の入力を容易なものとすることができる。また、バーコードリーダを操作するだけで、実施内容を入力することができるため、従来の技術とは異なり、職員が汎用性の高い多彩な機能を有する携帯端末の複雑な操作を覚える必要はなく、職員の負担を軽減させることができると共に、携帯端末を購入する必要はなく、管理にかかるコストの増加を抑制させることができる。
【００６２】
また、本実施形態によれば、本体を見開きにした時の第一右頁Ｒ１に設けられている変動情報領域１０ｃに、札体２０を磁着するようにしているため、本体１０を閉じた状態とすることで、札体２０を第一左頁Ｌ１と第一右頁Ｒ１とで挟んで動き難くすることができる。これにより、情報入力支援ファイル１を持ち運んだり車両に搭載したりすることで振動や衝撃が作用しても、本体１０からの札体２０の脱落を防止することができ、情報入力支援ファイル１の取り扱いを容易なものとすることができる。
【００６３】
また、本実施形態によれば、札体２０に設けられている磁石２２の磁力により、札体２０を本体１０の変動情報領域１０ｃ（被磁着体１４）に対して磁着させて着脱可能としているため、面ファスナーや粘着剤により着脱可能とする場合と比較して、汚れの付着や経年変化による装着力の低下を低減させることができる。
【００６４】
次に、上記とは異なる実施形態の情報入力支援ファイル２について、図４乃至図６を参照して詳細に説明する。この情報入力支援ファイル２は、上記の「送迎業務」に加えて、介護施設の職員が利用者の自宅において実施する訪問介護や訪問介助のような「訪問業務」の実施内容もコンピュータに入力することができるようにしたものである。この実施形態でも、「利用者名」が本発明の「外出先」に相当する。
【００６５】
詳述すると、情報入力支援ファイル２は、左右開きのファイル状の本体３０と、本体３０に対して着脱可能に設けられている複数の札体２０と、を備えている。本体３０は、リングバインダ３１と、リングバインダ３１に閉じられているルーズリーフ状のシート体３２と、を備えている。この情報入力支援ファイル２の札体２０は、情報入力支援ファイル１の札体２０と同じであり、詳細な説明は省略する。
【００６６】
本体３０は、閉じられている状態で右から左へ捲って見開きにした時に、左であるリングバインダ３１の表紙の裏を第一左頁Ｌ１、右であるリングバインダ３１に閉じられているシート体３２の１頁目を第一右頁Ｒ１、としている。
【００６７】
本体３０は、第一右頁Ｒ１の上部に設けられている業務名称領域３０ａと、業務名称領域３０ａの下方に設けられている前固定情報領域３０ｂと、前固定情報領域３０ｂの下方に設けられている変動情報記載領域３０ｃと、変動情報記載領域３０ｃの下方に設けられている後固定情報領域３０ｄと、を有している。また、本体３０は、第一左頁Ｌ１の略全体に設けられている変動情報領域３０ｅを、更に有している。
【００６８】
業務名称領域３０ａには、多様な外出業務のうち、この情報入力支援ファイル２が対応している外出業務の名称として「送迎＆訪問」の文字が記載されている。以下では、送迎＆訪問の外出業務を、単に送迎訪問業務と称する。
【００６９】
本実施形態では、送迎訪問業務の実施内容を示す複数の入力順が、上記の情報入力支援ファイル１と同じであるが、第一右頁Ｒ１の後固定情報領域３０ｄに記載されている通し番号が丸７の記載内容が若干異なっている。第一右頁Ｒ１におけるその他の記載内容については同じであるため、同じ構成については説明を省略する。
【００７０】
本体３０の第一右頁Ｒ１における後固定情報領域３０ｄの左上隅における通し番号が丸７の記載内容は、丸７の文字の右に、「送迎業務  終了後」と「訪問業務  終了後」との実施内容を示す文字が上下に列記されている。更に、「訪問業務  終了後」の文字の下に、「業務」、「様子」、「表情」、「健康状態」、「ＢＰＳＤ」、の実施内容を示す文字が下方へ列記されている。これら一連の文字の右方には、「送迎業務  終了後」及び「訪問業務  終了後」の夫々の実施内容を示す入力情報５が、丸囲みの通し番号と共に記載されている。なお、第一右頁Ｒ１には、「業務」、「様子」、「表情」、「健康状態」、「ＢＰＳＤ」、の実施内容を示す入力情報５を記載していない。
【００７１】
詳述すると、「送迎業務  終了後」の実施内容は、「送迎介助」、「準備介助」、「不在・応答なし」、「乗車拒否」、の四つの入力情報５に分けられており、夫々の入力情報５の標記部５ａ先頭に通し番号の丸７が記載されている。また、「訪問業務  終了後」の実施内容は、「身体介助」と「生活援助」の二つの入力情報５に分けられており、夫々の入力情報５の標記部５ａの先頭に通し番号の丸７が記載されている。
【００７２】
また、第一右頁Ｒ１の変動情報記載領域３０ｃには、上下が札体２０の短軸の長さよりも短く形成されており、左上隅に丸６の通し番号と共に、実施内容を示す「利用者名」の文字が記載されている。
【００７３】
一方、本体３０の第一左頁Ｌ１の変動情報領域３０ｅでは、左上隅に丸６の通し番号と共に、実施内容を示す「利用者名」の文字が記載されており、その下に、札体２０が入る大きさの四角い升目が、上下及び左右に並べられて記載されている。
【００７４】
本実施形態の本体３０について更に詳述すると、本体３０は、リングバインダ３１における第一左頁Ｌ１を構成している表紙の裏面の略全体に貼り付けられているシート状の表面体３３と、表面体３３とリングバインダ３１の表紙との間に設けられており磁着可能なシート状の被磁着体３４と、を備えている。表面体３３は、表面に変動情報領域３０ｅが設けられており、上述した文字と升目とが耐水性インクにより記載（印刷）されている。被磁着体３４は、表面体３３よりも若干小さく形成されており、変動情報領域３０ｅと対応する部位に設けられている。
【００７５】
この本体３０は、リングバインダ３１に複数のシート体３２が綴じられていることから、複数のシート体３２により複数の頁を有している。本体３０は、閉じた状態で右から左へ捲った時の最初のシート体３２による最初の１頁目を、上述したように、第一右頁Ｒ１としている。
【００７６】
複数のシート体３２には、最初の１頁目と、最後の２頁を構成している一つのシート体３２と、を除いた各頁は、以下のような構成を有している。詳述すると、各頁において、右上隅に記載されているバージョン情報７と、左上隅に記載されており第一右頁Ｒ１の業務名称領域１０ａに記載されている外出業務に関する項目情報８と、バージョン情報７及び項目情報８よりも下方に記載されており項目情報８を細分化したサブ項目情報８ａと、サブ項目情報８ａの下方において上下に列記されておりサブ項目情報８ａに関する実施内容としての複数の入力情報５と、を有している。
【００７７】
これらの頁（第一右頁Ｒ１よりも後の頁）は、第一右頁Ｒ１の業務名称領域３０ａに記載されている外出業務において、当該外出業務における更に詳細な実施内容の入力情報５を入力するためのものである。本実施形態における項目情報８は、第一右頁Ｒ１の後固定情報領域３０ｄにおいて、通し番号が丸７の「訪問業務  終了後」の実施内容の文字の下方に記載されている「業務」、「様子」、「表情」、「健康状態」、「ＢＰＳＤ」、である。
【００７８】
上記の各頁では、複数（ここでは三つ）のサブ項目情報８ａが左右方向に配置されている。なお、一つのサブ項目情報８ａに関する入力情報５が少なく、当該頁において上下中央の下半分が空白になるような場合は、当該空白の部位に別のサブ項目情報８ａとそのサブ項目情報８ａに関する入力情報５とを記載するようにしても良い。また、当該頁の項目情報８が前の頁と同じ場合は、当該頁での項目情報８の記載を省略しても良い。
【００７９】
上記の各頁において、上下及び左右に列設されている複数の入力情報５は、夫々のバーコード５ｂ同士が、上下についてはバーコード５ｂの高さの１．５倍〜２．５倍の間隔をあけて設けられており、左右についてはバーコード５ｂの横幅の０．８倍〜１．２倍の間隔をあけて設けられている。
【００８０】
バーコード５ｂ同士の上下の間隔を、上記の範囲内としている理由は、この範囲よりも狭いと、当該バーコード５ｂの直上に記載している入力情報５が、上方のバーコード５ｂにかかる入力情報５であると勘違いし易くなると共に、バーコードリーダでバーコード５ｂを読み取る際に、上方や下方のバーコード５ｂを誤って読み取り易くなるためである。また、この範囲よりも広いと、１頁において記載される入力情報５（バーコード５ｂ）の数が少なくなることで、相対的に頁数が多くなり、捲る頁数が多くなることで入力にかかる時間が長くなるためである。
【００８１】
また、バーコード５ｂ同士の左右の間隔を、上記の範囲内としている理由は、この範囲よりも狭いと、バーコードリーダでバーコード５ｂを読み取る際に、左右に広がる走査光が左方や右方のバーコード５ｂにかかり易くなることで、バーコード５ｂ（シート体３２）からバーコードリーダまでの距離を調整するために読み取りに時間がかかるようになるためである。また、この範囲よりも広いと、１頁において記載される入力情報５（バーコード５ｂ）の数が少なくなることで、相対的に頁数が多くなり、捲る頁数が多くなることで情報の入力にかかる時間が長くなるためである。
【００８２】
複数のシート体３２のうち、最後の２頁を構成している一つのシート体３２は、右頁（最終の見開き頁の一つ前の見開き頁の右頁、換言すると、シート体３２の数をｎとした場合、第ｎ右頁Ｒｎ）となる面に、破線により仕切られている複数の升目が記載されている（図６を参照）。複数の升目は左右方向に３列設けられている。この頁は、新たな入力情報５（バーコード５ｂ）を追加したい時に、追加したい入力情報５を印刷したシールを貼り付けることで、対応できるようにしたものである。この本体３０は、最終の見開き頁の一つ前の見開き頁まで、入力情報５が記載されている。
【００８３】
本実施形態の情報入力支援ファイル２は、本体３０のリングバインダ３１が、Ａ４の用紙を綴じることが可能な大きさで、ポリプロピレンのような合成樹脂により形成されている。また、シート体３２及び表面体３３は、厚さが５５μｍ〜３００μｍのポリプロピレン（ＰＰ）やポリエチレンテレフタレート（ＰＥＴ）のような樹脂製シートからなる合成紙により形成されている。被磁着体３４は、上述した被磁着体１４と同じものである。
【００８４】
本実施形態の情報入力支援ファイル２の使用方法は、上述した情報入力支援ファイル１の使用方法と基本的に同じであり、異なる部分についてのみ説明する。この情報入力支援ファイル２でも、職員が訪問送迎業務を実施する際に、訪問送迎対象の利用者名を示す入力情報５が記載されている札体２０を、本体３０の第一左頁Ｌ１の変動情報領域３０ｅに磁着して使用する。
【００８５】
また、職員が利用者の自宅を訪問して介護や介助等の訪問業務を実施した場合は、利用者宅から車両に戻って通し番号が丸７の入力情報５のバーコード５ｂを読み取る時に、実施した実施内容（「身体介助」、「生活援助」）のバーコード５ｂを読み取る。そして、通し番号が丸７の「訪問業務  終了後」の下に記載されている「業務」、「様子」、「表情」、等の項目情報８にかかる実施内容を示す入力情報５を入力するために、第一右頁Ｒ１（複数のシート体３２における１頁目）を右から左へ捲って、２頁目（第二左頁Ｌ２）と３頁目（第二右頁Ｒ２）を開く（図５を参照）。
【００８６】
この第二左頁Ｌ２の左上隅には、項目情報８として「訪問業務」の文字が記載されており、第一右頁Ｒ１の後固定情報領域３０ｄにおける通し番号が丸７の「訪問業務  終了後」の下に記載されている「業務」と対応している。
【００８７】
そして、第一右頁Ｒ１よりも後の頁を開いたら、当該訪問業務において実施した実施内容を示す入力情報５のバーコード５ｂをバーコードリーダで読み取る。この際に、当該頁の最も左方の列（左列）の上から下へ順番に入力情報５の内容を確認しながら、該当する入力情報５のバーコード５ｂを読み取る。そして、左列の下まで確認したら、右方の列（中央の列）に移動して、上記と同様に上から下へ順番に入力情報５の内容を確認しながら、該当する内容があればその入力情報５のバーコード５ｂを読み取り、当該列の下まで確認したら右方の列（右列）へ移動する。右列でも上記と同様の作業を行い、下まで確認したら、次の頁に移動して、上記と同様の作業を繰り返す。これにより、入力すべき入力情報５のバーコード５ｂの読み取り忘れを低減させることができる。
【００８８】
その後、項目情報８としての「訪問業務」の頁が終了したら、次の項目情報８（ここでは図示を省略するが、「様子」）の頁に移動して、上記と同様の作業を繰り返し、シート体３２を右から左へ捲って掲載されている順番に各項目情報８にかかる入力情報５を確認すると共に、入力すべき入力情報５のバーコード５ｂを読み取る。
【００８９】
本体３０の最終の見開き頁の一つ前の見開き頁（図６を参照）まで、つまり、第ｎ左頁Ｌｎ及び第ｎ右頁Ｒｎまで、入力情報５を確認したら、第一右頁Ｒ１へ戻り、通し番号が丸７に関する入力情報５（バーコード５ｂ）の読取作業が終了することとなる。その後は、情報入力支援ファイル１の使用方法と同様の作業を行うことで、職員が実施した送迎訪問業務にかかる実施内容を、バーコードリーダを介して管理コンピュータに入力することができる。
【００９０】
本実施形態の情報入力支援ファイル２によれば、上記の情報入力支援ファイル１と同様の作用効果を奏することができる。
【００９１】
上記の実施形態では、情報入力支援ファイル２が対応している外出業務として、送迎訪問業務を例にして示したが、これに限定するものではなく、例えば、送迎する利用者の自宅において居宅業務も実施する訪問居宅業務、利用者の送迎を実施しない訪問業務や居宅業務、としても良い。何れの外出業務でも、「利用者名」が本発明の「外出先」に相当する。
【００９２】
次に、上記とは更に異なる実施形態の情報入力支援ファイル３について、図７及び図８を参照して詳細に説明する。この情報入力支援ファイル３は、事業所としての介護施設における外出業務として、職員の外出による購買や書類提出のような職員業務（事務的業務）の実施内容をコンピュータに入力するためのものである。
【００９３】
本実施形態の情報入力支援ファイル３では、外出業務の実施毎に変動する外出先を、「業務地名」としている。つまり、本実施形態では、「業務地名」が本発明の「外出先」に相当する。「業務地名」としては、備品等の販売店名、病院名、役所名、他の事業所名、会館や集会所等の施設名、発注先や外注先等の工場名や業者名、を例示することができる。
【００９４】
この情報入力支援ファイル３は、上記の情報入力支援ファイル２に対して、本体３０の第一左頁Ｌ１及び第一右頁Ｒ１では、通し番号が丸６と丸７の記載内容が異なっており、札体２０では、表面に記載されている入力情報５の記載内容が異なっている。
【００９５】
具体的には、図７に示すように、本体３０における第一右頁Ｒ１の変動情報記載領域３０ｃ、及び第一左頁Ｌ１の変動情報領域３０ｅ、における通し番号が丸６の記載内容は、丸６の文字の右に、外出業務の実施毎に変動する外出先としての実施内容を示す「業務地名」の文字が記載されている。
【００９６】
また、第一右頁Ｒ１の後固定情報領域３０ｄの左上隅における通し番号が丸７の記載内容は、丸７の文字の右に、実施内容を示す「職員業務」の文字が記載されている。そして、その実施内容の文字の右に、「職員業務」に関する入力情報５が通し番号の丸７と共に記載されている。詳述すると、通し番号が丸７の「職員業務」に関する入力情報５は、「購買業務」、「書類提出業務」、「雇用関係業務」、「ガソリン給油」、「会計関係業務」、「書類作成業務」、の六つに分けられており、夫々の入力情報５の標記部５ａの先頭に通し番号の丸７が記載されている。
【００９７】
更に、本実施形態の本体３０では、複数のシート体３２による第一右頁Ｒ１よりも後の頁において、職員業務を項目情報８とし、当該項目情報８を細分化したサブ項目情報８ａを記載していると共に、サブ項目情報８ａに関する実施内容としての複数の入力情報５を記載している（図８を参照）。この本体３０でも、第ｎ右頁Ｒｎには、破線により仕切られている複数の升目が記載されている。
【００９８】
本実施形態の札体２０は、札体ベース２１の表面に、外出業務の実施毎に変動する外出先として「業務地名」を示す入力情報５が記載されている。
【００９９】
本実施形態の情報入力支援ファイル３の使用方法は、上記の情報入力支援ファイル２の使用方法と基本的に同じであり、異なる部分についてのみ説明する。この情報入力支援ファイル３は、職員が介護施設外での職員業務を実施する際に、職員の外出先である業務地名を示す入力情報５が記載されている札体２０を、本体３０の第一左頁Ｌ１の変動情報領域３０ｅに磁着して使用する。
【０１００】
職員が札体２０に記載されている業務地で職員業務を実施した後に車両に戻ったら、本体３０における第一右頁Ｒ１の後固定情報領域３０ｄに記載されている通し番号が丸７の入力情報５のうち、実施した実施内容の入力情報５のバーコード５ｂを、バーコードリーダで読み取る。続いて、第一右頁Ｒ１を右から左に捲って、第一右頁Ｒ１よりも後の頁に記載されている複数の入力情報５のうち、実施した実施内容の入力情報５があれば、そのバーコード５ｂを読み取る。
【０１０１】
そして、本体３０の最終の見開き頁の一つ前の見開き頁の第ｎ左頁Ｌｎ及び第ｎ右頁Ｒｎ（図８を参照）まで、入力情報５を確認したら、第一右頁Ｒ１へ戻り、通し番号が丸７に関する入力情報５（バーコード５ｂ）の読取作業が終了することとなる。その後、次の業務地又は介護施設を目的地として出発し、上記の情報入力支援ファイル１，２の使用方法と同様の作業を行うことで、職員が実施した外出業務としての職員業務にかかる実施内容を、バーコードリーダを介して管理コンピュータに入力することができる。
【０１０２】
本実施形態の情報入力支援ファイル３によれば、上記の情報入力支援ファイル２と同様の作用効果を奏することができる。
【０１０３】
以上、本発明について好適な実施形態を挙げて説明したが、本発明は上記の実施形態に限定されるものではなく、本発明の要旨を逸脱しない範囲において、種々の改良及び設計の変更が可能である。
【０１０４】
例えば、上記の実施形態では、職員の外出業務に使用するものとして自動車を示したが、これに限定するものではなく、原動機付自転車、自転車、自動二輪車、貨物車、タクシーやバスや鉄道等の公共交通機関、徒歩、等としても良い。公共交通機関や徒歩の場合、前固定情報領域１０ｂや後固定情報領域１０ｄにおける車両コードの部位に、例えば、移動手段を記載すると共に、その右又は第一右頁Ｒ１よりも後の頁に、移動手段としてのタクシー、バス、鉄道、徒歩、等の入力情報５を記載する。
【０１０５】
また、上記の実施形態では、事業所として介護や介助を行う介護施設を示したが、これに限定するものではなく、利用者の家事や買物等を代行する代行サービス所、園児や生徒等を送迎する送迎サービス所、利用者を輸送する輸送サービス所、等としても良い。
【０１０６】
更に、上記の実施形態では、札体２０を磁石２２による磁着によって本体１０，３０に着脱可能とするものを示したが、これに限定するものではなく、面ファスナーや粘着剤により着脱可能とするようにしても良い。
【符号の説明】
【０１０７】
１  情報入力支援ファイル
２  情報入力支援ファイル
３  情報入力支援ファイル
５  入力情報
５ａ  標記部
５ｂ  バーコード
１０  本体
１０ａ  業務名称領域
１０ｂ  前固定情報領域
１０ｃ  変動情報領域
１０ｄ  後固定情報領域
１１  本体ベース
１２  本体カバー
１３  表面体
１４  被磁着体
２０  札体
２１  札体ベース
２２  磁石
３０  本体
３０ａ  業務名称領域
３０ｂ  前固定情報領域
３０ｃ  変動情報記載領域
３０ｄ  後固定情報領域
３０ｅ  変動情報領域
３１  リングバインダ
３２  シート体
３３  表面体
３４  被磁着体
Ｌ１  第一左頁
Ｒ１  第一右頁
【図１】
2020189464.tif 000003
【図２】
2020189464.tif 000004
【図３】
2020189464.tif 000005
【図４】
2020189464.tif 000006
【図５】
2020189464.tif 000007
【図６】
2020189464.tif 000008
【図７】
2020189464.tif 000009
【図８】
2020189464.tif 000010
【図９】
2020189464.tif 000011